(57)【要約】【課題】  活性炭フィルタから脱離した揮発性有機化合物ガスと水分子ガスを通気パイプに流通させる際に発生する臭気を帯びた水を除去するとともに、揮発性有機化合物ガスの酸化反応により生成する窒素酸化物を除去することができる、活性炭フィルタの再生処理装置および活性炭フィルタの再生処理方法を提供する。【解決手段】  活性炭フィルタに吸着された揮発性有機化合物ガスと水分子ガスを加熱により脱離させて、この活性炭フィルタを再生処理する活性炭フィルタの再生処理装置において、前記揮発性有機化合物ガスを分解する白金触媒反応器と、除湿器と、窒素酸化物成分を除去する酸性ケミカルフィルタ装置と、前記活性炭フィルタ、前記白金触媒反応器、前記除湿器および前記酸性ケミカルフィルタ装置のそれぞれの構成要素の順に沿って、それぞれの構成要素内のガスを吸引する吸引機とを備えたことを特徴とする活性炭フィルタの再生処理装置である。【選択図】  図１
2006181527.tif 000002
【特許請求の範囲】
【請求項１】
活性炭フィルタに吸着された揮発性有機化合物ガスと水分子ガスを加熱により脱離させて、この活性炭フィルタを再生処理する活性炭フィルタの再生処理装置において、
前記脱離させた揮発性有機化合物ガスと水分子ガスが冷却されて、この水分子ガスの一部が凝集して得られた液体の水に、前記揮発性有機化合物ガスの一部が溶け込んだ当該液体の水を加熱して、再度ガス化した揮発性有機化合物ガスと共に、前記脱離させた揮発性有機化合物ガスを、加熱された白金触媒の酸化反応より、水分子ガス、二酸化炭素および窒素酸化物の３成分を含むガスに分解する白金触媒反応器と、
前記した水分子ガス、二酸化炭素および窒素酸化物の３成分を含むガスを冷却する冷却部と、この冷却部により前記水分子ガスが冷却されて、一部の前記水分子ガスが凝集して得られた液体の水を溜めるための水タンク部と、この水タンク部の水面上方の空間を通過した水分子ガス、二酸化炭素および窒素酸化物の３成分を含むガスの高湿度を低湿度に調整する湿度調整部とを有する除湿器と、
前記除湿器により得られた、水分子ガス、二酸化炭素および窒素酸化物の３成分を含む低湿度ガスを流して、この低湿度ガス中に含まれる窒素酸化物成分を除去する酸性ケミカルフィルタ装置と、
前記活性炭フィルタ、前記白金触媒反応器、前記除湿器および前記酸性ケミカルフィルタ装置のそれぞれの構成要素の順に沿って、それぞれの構成要素内のガスを吸引する吸引機とを備えたことを特徴とする活性炭フィルタの再生処理装置。
【請求項２】
前記酸性ケミカルフィルタ装置と前記吸引機と間に漏光型光触媒フィルタ装置を配設したことを特徴とする請求項１に記載の活性炭フィルタの再生処理装置。
【請求項３】
活性炭フィルタに吸着された揮発性有機化合物ガスと水分子ガスを加熱により脱離させて、この活性炭フィルタを再生処理する活性炭フィルタの再生処理方法において、
前記脱離させた揮発性有機化合物ガスと水分子ガスが冷却されて、前記水分子ガスの一部が凝集して得られた液体の水に、前記揮発性有機化合物ガスが溶け込む揮発性有機化合物ガス溶解工程と、
前記液体の水を加熱して、再度ガス化した揮発性有機化合物ガスと共に、前記脱離させた揮発性有機化合物ガスを、加熱された白金触媒により酸化反応させて、水分子ガス、二酸化炭素および窒素酸化物の３成分を含むガスを生成する白金触媒反応工程と、
前記した水分子ガス、二酸化炭素および窒素酸化物の３成分を含むガスを冷却して、前記水分子ガスの一部を凝集して液体の水にすると共に、前記水分子ガスの残余の部分、二酸化炭素および窒素酸化物の３成分を含むガスを低湿度に調整する除湿工程と、
前記除湿工程により得られた、水分子ガス、二酸化炭素および窒素酸化物の３成分を含む低湿度のガス中に含まれる窒素酸化物を除去する窒素酸化物除去工程を含むことを特徴とする活性炭フィルタの再生処理方法。
【発明の詳細な説明】
【技術分野】
【０００１】
本発明は、活性炭フィルタに吸着された揮発性有機化合物ガスを脱離させることにより活性炭フィルタを再生する、活性炭フィルタの再生処理装置および活性炭フィルタの再生処理方法に関する。
【背景技術】
【０００２】
この種の活性炭フィルタの再生処理装置は、特許文献１に記載された空気清浄装置に利用されている。
【０００３】
この空気清浄装置は、第１の流路に、被処理ガスを含む空気を通過させて前記被処理ガスを物理的に吸着・濃縮させる被処理ガス吸着濃縮部を設け、この被処理ガス吸着濃縮部を通して、被処理ガスを除去した空気を送出する空気清浄装置において、前記第１の流路とは別に設けた第２の流路に、前記第１の流路における前記被処理ガスを含む空気と比較して清浄な空気を前記被処理ガス吸着濃縮部に流して、前記被処理ガス吸着濃縮部に吸着・濃縮された被処理ガスを脱離するための被処理ガス脱離部と、この被処理ガス脱離部により脱離された被処理ガスを含む空気を流し、前記脱離された被処理ガスが分解除去されるための脱離ガス分解除去部とを設けている。
【０００４】
そして、上記した空気清浄装置の具体例としては、前記被処理ガス吸着濃縮部の事例として活性炭フィルタ、前記被処理ガス脱離部の事例として加熱装置、および前記脱離ガス分解除去部の事例として、被処理ガスを粗く分解除去する白金触媒を用いた酸化触媒反応器と、精細に分解除去する事例として漏光型光触媒反応器との直列接続の組み合わせが、それぞれ記載されている。
【０００５】
そして、上記した空気清浄装置の作用に関しては、第１の流路において、被処理ガス吸着濃縮部（活性炭フィルタ）に空気中の被処理ガスを物理的に吸着・濃縮させて、被処理ガスを除去することにより、清浄な空気を送出し、第２の流路において、この被処理ガス吸着濃縮部（活性炭フィルタ）に吸着・濃縮された被処理ガスを脱離して、この脱離した被処理ガスを分解除去することにより、この被処理ガス吸着濃縮部（活性炭フィルタ）を被処理ガスが吸着・濃縮される前の状態に近づけて、再生処理させることが記載されている。
【特許文献１】特開平２００４−３２９４９９号公報
【発明の開示】
【発明が解決しようとする課題】
【０００６】
しかしながら、上記した空気清浄装置は、被処理ガス中に、揮発性有機化合物ガスを含む場合に、次のような問題点があることが本発明者等によって見出された。
【０００７】
上記した空気清浄装置の第１の流路に、上記揮発性有機化合物ガスを含む空気を流した場合、この揮発性有機化合物ガスだけではなく、空気中の湿気、すなわち水分子ガス（この水分子ガスとは気体のＨ2Ｏのことである。以下同じ。）も同時に、活性炭フィルタに吸着される。そして、この揮発性有機化合物ガスを含む空気を活性炭フィルタに流し続けると、活性炭フィルタに揮発性有機化合物ガスと水分子ガスが多量に吸着されて、高濃度に濃縮された状態となる。
【０００８】
そして、活性炭フィルタは、活性炭フィルタ加熱装置により加熱されて、この活性炭フィルタに吸着された揮発性有機化合物ガスと水分子ガスが活性炭フィルタから脱離する。この脱離した揮発性有機化合物ガスと水分子ガスは、上記した空気清浄装置の第２の流路において、白金触媒側に流出する。
【０００９】
脱離した水分子ガスが白金触媒の入口側に配設された通気パイプを通過するときに、この水分子ガスは、先の加熱による高温状態から常温状態に急激に冷却されることから、飽和蒸気圧差により、大部分の水分子ガスが凝集して液体の水となる。
【００１０】
この液体の水は、それ自体については無臭であることから問題にはならないが、活性炭フィルタから脱離した揮発性有機化合物ガスが上記した通気パイプを通過するときに、この揮発性有機化合物ガスの一部が液体の水に溶け込んで、この水が褐色を呈し、臭気を帯びる。
【００１１】
このような臭気を帯びた水をそのまま外部に排出することは、空気清浄装置として不適当であるから、本発明の第1の課題は、臭気発生の原因となる、活性炭フィルタから脱離した水分子ガスを除去することである。
【００１２】
また、活性炭フィルタから脱離した揮発性有機化合物ガスを構成する成分のうち、窒素原子を有さない有機化合物については、白金触媒で分解除去した場合に数ｐｐｍ以上のオーダーで粗分解除去されて、水分子ガスおよび二酸化炭素（ガス）を生成し、これら生成したガスはそのまま排出しても問題とならない。
【００１３】
しかしながら、活性炭フィルタから脱離した揮発性有機化合物ガスを構成する成分のうち、窒素原子を有する有機化合物については、これを白金触媒の酸化反応により分解除去した場合、水分子ガスおよび二酸化炭素のガス以外に、窒素酸化物（ＮＯx）のガスを発生し、この窒素酸化物は、その規制値（0.06ppm）を越えたとき、そのまま排出することができない。
そこで、本発明の第２の課題は、活性炭フィルタから脱離した揮発性有機化合物ガスが窒素原子を有する有機化合物を含む場合に、白金触媒の酸化反応により発生する窒素酸化物を除去することである。
【００１４】
したがって、本発明が解決しようとする課題は、活性炭フィルタから脱離した水分子ガスを通気パイプに流通させる際、水分子ガスの一部が冷却され、凝集して液体の水となり、この液体の水に揮発性有機化合物ガスの一部が溶け込むことにより発生する「臭気を帯びた水（液体）」を除去するとともに、揮発性有機化合物ガス中に含まれる窒素原子を有する有機化合物の酸化反応により生成する窒素酸化物を除去することができる、活性炭フィルタの再生処理装置および活性炭フィルタの再生処理方法を提供することである。
【課題を解決するための手段】
【００１５】
このような事情のもと、本発明者が鋭意検討したところ、特定の構成を有する活性炭フィルタの再生処理装置を用いることによって上記課題を解決し得ることを見出し、この知見に基づいて本発明を完成するに至った。
【００１６】
すなわち、本発明は、
（１）活性炭フィルタに吸着された揮発性有機化合物ガスと水分子ガスを加熱により脱離させて、この活性炭フィルタを再生処理する活性炭フィルタ再生処理装置において、
前記脱離させた揮発性有機化合物ガスと水分子ガスが冷却されて、この水分子ガスの一部が凝集して得られた液体の水に、前記揮発性有機化合物ガスの一部が溶け込んだ当該液体の水を加熱して、再度ガス化した揮発性有機化合物ガスと共に、前記脱離させた揮発性有機化合物ガスを、加熱された白金触媒の酸化反応により、水分子ガス、二酸化炭素および窒素酸化物の３成分を含むガスに分解する白金触媒反応器と、
前記した水分子ガス、二酸化炭素および窒素酸化物の３成分を含むガスを冷却する冷却部と、この冷却部により前記水分子ガスが冷却されて、一部の前記水分子ガスが凝集して得られた液体の水を溜めるための水タンク部と、この水タンク部の水面上方の空間を通過した水分子ガス、二酸化炭素および窒素酸化物の３成分を含むガスの高湿度を低湿度に調整する湿度調整部とを有する除湿器と、
前記除湿器により得られた、水分子ガス、二酸化炭素および窒素酸化物の３成分を含む低湿度ガスを流して、この低湿度ガス中に含まれる窒素酸化物成分を除去する酸性ケミカルフィルタ装置と、
前記活性炭フィルタ、前記白金触媒反応器、前記除湿器および前記酸性ケミカルフィルタ装置のそれぞれの構成要素の順に沿って、それぞれの構成要素内のガスを吸引する吸引機とを備えたことを特徴とする活性炭フィルタ再生処理装置、
【００１７】
（２）前記酸性ケミカルフィルタ装置と前記吸引機と間に漏光型光触媒フィルタ装置を配設したことを特徴とする上記（１）に記載の活性炭フィルタ再生処理装置、および
【００１８】
（３）活性炭フィルタに吸着された揮発性有機化合物ガスと水分子ガスを加熱により脱離させて、この活性炭フィルタを再生処理する活性炭フィルタの再生処理方法において、
前記脱離させた揮発性有機化合物ガスと水分子ガスが冷却されて、前記水分子ガスの一部が凝集して得られた液体の水に、前記揮発性有機化合物ガスが溶け込む揮発性有機化合物ガス溶解工程と、
前記液体の水を加熱して、再度ガス化した揮発性有機化合物ガスと共に、前記脱離させた揮発性有機化合物ガスを、加熱された白金触媒により酸化反応させて、水分子ガス、二酸化炭素および窒素酸化物の３成分を含むガスを生成する白金触媒反応工程と、
前記した水分子ガス、二酸化炭素および窒素酸化物の３成分を含むガスを冷却して、前記水分子ガスの一部を凝集して液体の水にすると共に、前記水分子ガスの残余の部分、二酸化炭素および窒素酸化物の３成分を含むガスを低湿度に調整する除湿工程と、
前記除湿工程により得られた、水分子ガス、二酸化炭素および窒素酸化物の３成分を含む低湿度のガス中に含まれる窒素酸化物を除去する窒素酸化物除去工程を含むことを特徴とする活性炭フィルタの再生処理方法を提供するものである。
【発明の効果】
【００１９】
本発明によれば、活性炭フィルタから脱離させた揮発性有機化合物ガスと水分子ガスが冷却されて、この水分子ガスの一部が凝集して得られた液体の水に、前記揮発性有機化合物ガスの一部が溶け込んだ当該液体の水を加熱して、再度ガス化した揮発性有機化合物ガスと共に、前記脱離させた揮発性有機化合物ガスを、白金触媒の酸化反応により、水分子ガス、二酸化炭素および窒素酸化物の３成分を含むガスに分解することにより、揮発性有機化合物ガスを有効に除去することができ、揮発性有機化合物ガスの一部が溶け込んだ臭気を帯びた液体の水の発生を阻止することができる。
【００２０】
そして、上記した水分子ガスと二酸化炭素と窒素酸化物の３成分を含むガスを除湿器により高湿度ガスから低湿度ガスに変えて、この低湿度ガスを酸性ケミカルフィルタに流していることから、窒素酸化物を効率よく除去することができる。なお、水分子ガスは飲料レベルの液体の水となり、二酸化炭素はそのまま排出可能である。
【００２１】
また、本発明によれば、白金触媒の酸化反応と光触媒作用とを組み合わせることにより、白金触媒の酸化反応により分解しきれなかった揮発性有機化合物ガスを有効に除去することが可能となる。
【発明を実施するための最良の形態】
【００２２】
先ず、本発明の活性炭フィルタの再生処理装置について説明する。
【００２３】
本発明の活性炭フィルタの再生処理装置は、活性炭フィルタに吸着された揮発性有機化合物ガスと水分子ガスを加熱により脱離させて、この活性炭フィルタを再生処理する活性炭フィルタ再生処理装置であって、
前記脱離させた揮発性有機化合物ガスと水分子ガスが冷却されて、この水分子ガスの一部が凝集して得られた液体の水に、前記揮発性有機化合物ガスの一部が溶け込んだ当該液体の水を加熱して、再度ガス化した揮発性有機化合物ガスと共に、前記脱離させた揮発性有機化合物ガスを、加熱された白金触媒の酸化反応により、水分子ガス、二酸化炭素および窒素酸化物の３成分を含むガスに分解する白金触媒反応器と、
前記した水分子ガス、二酸化炭素および窒素酸化物の３成分を含むガスを冷却する冷却部と、この冷却部により前記水分子ガスが冷却されて、一部の前記水分子ガスが凝集して得られた液体の水を溜めるための水タンク部と、この水タンク部の水面上方の空間を通過した水分子ガス、二酸化炭素および窒素酸化物の３成分を含むガスの高湿度を低湿度に調整する湿度調整部とを有する除湿器と、
前記除湿器により得られた、水分子ガス、二酸化炭素および窒素酸化物の３成分を含む低湿度ガスを流して、この低湿度ガス中に含まれる窒素酸化物成分を除去する酸性ケミカルフィルタ装置と、
前記活性炭フィルタ、前記白金触媒反応器、前記除湿器および前記酸性ケミカルフィルタ装置のそれぞれの構成要素の順に沿って、それぞれの構成要素内のガスを吸引する吸引機とを備えたことを特徴とする。
【００２４】
本発明において、揮発性有機化合物ガスとは、その一部が水に溶解した場合に臭気を帯びた水を発生し得るガスであって、窒素原子を有する有機化合物を構成成分として含むガスを意味する。
このような揮発性有機化合物ガスとしては、タバコの喫煙時に空気中に放出されるタバコ煙等を挙げることができ、この空気中に放出されるタバコ煙には、ベンゼン、トルエン、キシレン、ニコチン等が含まれている。
【００２５】
活性炭フィルタは、揮発性有機化合物ガスを活性炭フィルタに吸着させるための流路に、その揮発性有機化合物ガスを含む空気を流した場合に、その揮発性有機化合物ガスを捕獲して吸着するに適合した構造を有するものであればよく、例えば、ハニカム型活性炭フィルタが好適である。ハニカム型活性炭フィルタの体積は、そのフィルタの流路に流す揮発性有機化合物ガスの濃度および流量に応じて適宜決定される。
【００２６】
活性炭フィルタは、揮発性有機化合物ガスを吸着する際に、空気中の湿気、即ち、水分子ガスをも同時に吸着することから、この活性炭フィルタを加熱した場合、この活性炭フィルタから揮発性有機化合物ガスと共に、水分子ガスを脱離させることになる。
【００２７】
このように加熱脱離された揮発性有機化合物ガスと水分子ガスは、これらガスを次の白金触媒反応器に流入されるためのパイプ（後述する図１に示すパイプＰ２）の通過時において、このパイプの外気が常温であることから急激に冷却され、特に、水分子ガスの大部分（約９０％以上）は、急激な温度低下に伴う飽和蒸気圧差によって、凝集して液体の水となり、加熱離脱された揮発性有機化合物ガスの一部がこの液体の水に溶け込むように作用する。なお、水分子ガスの残余の部分（約１０％未満）は、水分子ガスとして次の白金触媒反応器を通過する。
【００２８】
したがって、白金触媒反応器には、脱離した揮発性有機化合物ガスおよび水分子ガスと共に、揮発性有機化合物ガスの一部が溶け込んだ液体の水が流入する。
【００２９】
この白金触媒反応器は、白金触媒の周辺に配置されたヒーターの加熱により、揮発性有機化合物ガスの酸化反応を促進して、この揮発性有機化合物ガスを粗分解し、水分子ガス、二酸化炭素および窒素酸化物の３成分を含むガスを生成する。
【００３０】
次に、揮発性有機化合物ガスの一部が溶け込んだ液体の水については、上記ヒーターの加熱により、再度、ガス化された揮発性有機化合物ガスと水分子ガスを生成し、この揮発性有機化合物ガスは、先の脱離した揮発性有機化合物ガスと同様、白金触媒の酸化反応により粗分解されて、水分子ガス、二酸化炭素および窒素酸化物の３成分を含むガスを生成する。なお、白金触媒の酸化反応による揮発性有機化合物ガスの粗分解では、揮発性有機化合物ガスを有効に分解除去することができる。
【００３１】
白金触媒反応器内で、再度、ガス化した水分子ガスは、先に脱離した水分子ガスとともに、白金触媒反応器を通過するが、次の除湿器と接続するためのパイプ（後述する図１に示すＰ３）の通過時において、このパイプの外気が常温であることから、水分子ガスが冷却され、急激な温度低下に伴う飽和蒸気圧差によって、その大部分（約９０％以上）が凝集して液体の水となる。
【００３２】
白金触媒反応器においては、揮発性有機化合物ガスが粗分解されて、除去されることから、揮発性有機化合物ガスの一部が溶け込んだ液体の水の発生を阻止することができ、その結果、液体の水をそのまま排出することが可能となる。なお、水分子ガスの残余の部分は、水分子ガスとして次の除湿器に流入する。
【００３３】
また、白金触媒の酸化反応により生成した二酸化炭素は、そのまま排出することができる。
【００３４】
白金触媒反応器の具体例としては、例えば、ステンレス製ハニカムの表面に白金触媒を担持させたものを複数直列接続して、密閉容器内に収納し、この密閉容器の外周に断熱材を介してヒーターを配置したものを挙げることができ、所定時間（例：２時間）所定温度（例；２５０〜３５０℃）に保温できるように設計されている。白金触媒の白金担持量、体積、表面積、保温時間および保温する温度等については、脱離した揮発性有機化合物ガスの濃度および流量に応じて適宜決定される。
【００３５】
次に、除湿器は、前記した白金触媒反応器から流出する水分子ガス、二酸化炭素および窒素酸化物の３成分を含むガスを冷却する冷却部と、この冷却部により水分子ガスが冷却されて凝集した液体の水を溜める水タンク部と、この水タンク部の水面上方の空間を通過する水分子ガス、二酸化炭素および窒素酸化物の３成分を含むガスが相対湿度１００％の高湿度状態にあるのに対して、低湿度、例えば、２５℃換算で相対湿度５０％以下に調整するための湿度調整部とを有している。
【００３６】
このような除湿器により、水タンク部の水面上方の空間を通過した、水分子ガス、二酸化炭素および窒素酸化物の３成分を含むガスを高湿度ガスから低湿度ガスに変換させて、次の酸性ケミカルフィルタを通過させる際に、酸性ケミカルフィルタによる吸着作用を損なう原因となるフィルタ表面への湿度の悪影響を除去することができる。また、冷却部における水分子ガスの冷却により、大部分（約９０％以上）の水分子ガスが液体の水となって水タンク部に一旦溜められ、この水タンク部内の水は外部に排出される。
【００３７】
酸性ケミカルフィルタは、上記した除湿器により、低湿度となった水分子ガス、二酸化炭素および窒素酸化物の３成分を含むガスのうち、窒素酸化物（ＮＯ、ＮＯ2等のＮＯx）を吸着して、除去するものである。なお、水分子ガスおよび二酸化炭素は、酸性ケミカルフィルタと作用せず、そのまま酸性ケミカルフィルタの出口側に流出される。
【００３８】
酸性ケミカルフィルタの具体例としては、例えば、入口側から出口側に向かって、粒状のＮＯ酸化触媒および粒状のＮＯ2化学吸着材をそれぞれ層状に密閉容器内に詰めてなる酸性ケミカルフィルタを挙げることができ、この酸性ケミカルフィルタに窒素酸化物を流した場合、粒状のＮＯ酸化触媒からなる層の通過時において、この窒素酸化物のうち、ＮＯ2は素通りし、ＮＯは酸化されてＮＯ2となり、ＮＯ酸化触媒からなる層に引き続く粒状のＮＯ2化学吸着材からなる層において、ＮＯ2が吸着されて、結局、窒素酸化物が除去されたガスが出口側に流出する。
【００３９】
吸引機は、前記活性炭フィルタ、前記白金触媒反応器、前記除湿器および前記酸性ケミカルフィルタ装置のそれぞれの構成要素の順に沿って、それぞれの構成要素内のガスを含めて、比較的清浄な空気（例えば、揮発性有機化合物ガスを除去した空気）を流すための吸引装置であり、市販の吸引ポンプが好適である。
【００４０】
漏光型光触媒フィルタ装置は、前述した白金触媒反応器が揮発性有機化合物ガスを粗分解するものであるのに対して、この白金触媒反応器では分解除去しきれなかった揮発性有機化合物ガスを精細に分解するものであり、例えば、光触媒を担持した光ファイバを多数束ねてなる漏光型光触媒フィルタが好適である。
【００４１】
次に、本発明の活性炭フィルタの再生処理方法について説明する。
【００４２】
本発明の活性炭フィルタの再生処理方法の発明は、活性炭フィルタに吸着された揮発性有機化合物ガスと水分子ガスを加熱により脱離させて、この活性炭フィルタを再生処理する活性炭フィルタの再生処理方法であって、
前記脱離させた揮発性有機化合物ガスと水分子ガスが冷却されて、前記水分子ガスの一部が凝集して得られた液体の水に、前記揮発性有機化合物ガスが溶け込む揮発性有機化合物ガス溶解工程と、
前記液体の水を加熱して、再度ガス化した揮発性有機化合物ガスと共に、前記脱離させた揮発性有機化合物ガスを、加熱された白金触媒により酸化反応させて、水分子ガス、二酸化炭素および窒素酸化物の３成分を含むガスを生成する白金触媒反応工程と、前記した水分子ガス、二酸化炭素および窒素酸化物の３成分を含むガスを冷却して、前記水分子ガスの一部を凝集して液体の水にすると共に、前記水分子ガスの残余の部分、二酸化炭素および窒素酸化物の３成分を含むガスを低湿度に調整する除湿工程と、前記除湿工程により得られた、水分子ガス、二酸化炭素および窒素酸化物の３成分を含む低湿度のガス中に含まれる窒素酸化物を除去する窒素酸化物除去工程を含むことを特徴とする。
【００４３】
本発明の活性炭フィルタの再生処理方法は、本発明の活性炭フィルタの再生処理装置を用いることにより実現することができ、本発明の活性炭フィルタの再生処理方法において、白金触媒反応工程、除湿工程、窒素酸化物除去工程において用いられる装置および処理条件は、それぞれ、上記した白金触媒反応器、除湿器、酸性ケミカルフィルタ装置で説明したと同様である。
【実施例】
【００４４】
以下、本発明を実施例により更に具体的に説明する。
なお、本実施例において、被処理ガス中の揮発性有機化合物ガスの濃度とは、被処理ガス中の総揮発性有機化合物（ＴＶＯＣ）の濃度を意味し、以下に示す方法により算出したものである。
すなわち、揮発性有機化合物ガスの濃度が高い(例えばｐｐｍオーダー)場合はガスクトマトグラフ((株)島津製作所製)を、揮発性有機化合物ガスの濃度が低い(例えば、ｐｐｂオーダー)場合は捕集管により濃縮操作を行った後にガスクトマトグラフ質量分析計(アジレント・テクノロジ社製)を用いることによりクロマトグラムを得、検出された各ピークの面積をトルエン換算して各有機化合物の濃度を算出し、その総和を揮発性有機化合物ガスの濃度とした。
図１は、本発明の実施例である活性炭フィルタ再生処理装置の全体構成を示すブロック図である。
【００４５】
この活性炭フィルタ再生処理装置は、活性炭フィルタと加熱炉を含む活性炭フィルタ加熱装置１０と、白金触媒とヒーターを含む白金触媒反応器２０と、冷却部と水タンク部と低湿度調整部を含む除湿器３０と、ＮＯ酸化触媒とＮＯ2化学吸着材を含む酸性ケミカルフィルタ装置４０と、漏光型光触媒フィルタ装置５０と、吸引機６０の各構成要素と共に、各構成要素を連結するためのパイプＰ１〜Ｐ７を備えている。
【００４６】
活性炭フィルタ加熱装置１０は、図２に示すように、図面上、上側面、右側面および下側面を有する断面Ｕ字状の加熱炉本体１と、左側面を開閉可能な加熱炉扉２と、活性炭フィルタ３と、この活性炭フィルタ３を収納した容器４と、加熱炉本体１と加熱炉扉２により構成される内壁に配設されたヒーター５と、ガラス繊維製の断熱材６と、加熱炉本体１の図面上、右側面の下方部分と上方部分に貫通挿入されたガス導入用パイプＰ１およびガス排出用パイプＰ２を備えている。
【００４７】
活性炭フィルタ３は、市販のハニカム型活性炭（大きさ：１５０×１５０×３０ｍｍ）を２４個、容器４内に配列したものであり（図面では手前の１２個を示した）、この活性炭フィルタ３は、被処理ガスとしてタバコ煙を含むガスを処理した空気清浄装置において使用され、その活性炭フィルタ３の表面には、揮発性有機化合物ガスと水分子ガスが既に吸着されている。
【００４８】
容器４の底部は、スリット状または網状に形成されて、通気性を得ていることから、パイプＰ１から導入された空気は、この容器４の底部を通って活性炭フィルタ３の流路に流すことができる。なお、パイプＰ１に導入される空気は、活性炭フィルタに吸着された揮発性有機化合物ガスを除去して、この活性炭フィルタを再生するために流すものであることから、揮発性有機化合物ガスを除去した程度の比較的清浄な空気であることが求められ、この空気の流量は吸引機６０により調整され、本例では２リットル／分に設定した。
【００４９】
このような活性炭フィルタ３を収納した容器４を、加熱炉扉２を開けて、加熱炉本体１の内部空間に収納し、加熱炉扉２を閉めて加熱炉を密閉状態にする。そして、加熱炉内のヒーター５に所定電圧を印加して、図示略した温度制御器により約２６０℃の高温に約１時間かけて昇温して、活性炭フィルタ３を加熱することにより、活性炭フィルタ３に吸着されていた揮発性有機化合物ガスと水分子ガスを脱離させる。そして、脱離させた揮発性有機化合物ガスと水分子ガスは、活性炭フィルタ３の流路をその上方に向かって通過して、パイプＰ２から排出される。
【００５０】
なお、約２６０℃の高温を約２時間保持した後、ヒーター５への印加電圧を断つが、その間、活性炭フィルタ３が約２６０℃の高温に達した時に、揮発性有機化合物ガスは、その脱離量が最大となり、最高濃度となってパイプP２から排出される。
【００５１】
加熱脱離された揮発性有機化合物ガスと水分子ガスは、パイプＰ２を通過したとき、このパイプＰ２が外気の常温に曝されて、白金触媒反応器２０に入る直前のパイプＰ２内の温度が約９０℃となって、冷却される。
【００５２】
この冷却により、急激な温度低下による飽和蒸気圧差が生じて、水分子ガスの大部分（約９０％以上）が凝集して液体の水となり、残余（約１０％以下）の水分子ガスが気体としてそのまま通過する。そして、この液体の水は、揮発性有機化合物ガスの一部が溶け込んで、臭気を帯びた液体となり、次の白金触媒反応器２０に、揮発性有機化合物ガスと水分子ガスと共に、臭気を帯びた液体が流入する。
【００５３】
次に、白金触媒反応器２０は、図３に示すように、ステンレス製ハニカムの表面に白金を担持させた白金触媒ユニット（大きさ：１００×１００×５０ｍｍ）を３個直列に配設してなる白金触媒２１と、この白金触媒２１を収納したステンレス製の密閉容器２２と、この密閉容器２２の外側面に配設したヒーター２３と、このヒーター２３を保温するガラス繊維製の断熱材２４と、前述した脱離した揮発性有機化合物ガスと水分子ガスを密閉容器２２内に導入するためのパイプＰ２と、白金触媒の酸化反応により揮発性有機化合物ガスが分解して生成したガスを排出するためのパイプＰ３とを備えている。
【００５４】
白金触媒２１を収納した密閉容器２２は、白金触媒２１の温度を図示略した温度検知器により検知し、図示略した温度制御器によりヒーター２３に流す電流を制御して、２５０℃〜３５０℃の範囲内の一定の高温度（本例：３００℃）に保持した状態で、白金触媒の酸化反応を得る。
【００５５】
そこで、パイプ２により、前述した揮発性有機化合物ガスと水分子ガスと共に、臭気を帯びた液体を、密閉容器２２内の白金触媒２１の手前の空間に導入したとき、前述した３００℃の高温に曝されて、上記臭気を帯びた液体が再度ガス化して揮発性有機化合物ガスと水分子ガスとなり、密閉容器２２に導入された揮発性有機化合物ガスと水分子ガスと一緒になって、白金触媒２１の流路を流れて、揮発性有機化合物ガスが白金触媒の酸化反応により、水分子ガスと二酸化炭素と窒素化合物の３成分を含むガスに分解生成され、この３成分を含むガスがパイプＰ３から排出される。なお、白金触媒２１の流路を流れた水分子ガスは、白金触媒の酸化反応を受けずに、そのまま通過して、パイプＰ３から排出される。
【００５６】
揮発性有機化合物ガスが白金触媒の酸化反応により分解されて、生成した水分子ガスと、白金触媒２１の流路をそのまま通過した水分子ガスは、白金触媒反応器２０の排出パイプＰ３を通過して、このパイプＰ３が外気の常温に曝されて、次の除湿器３０に入る直前のパイプＰ３内の温度が約９０℃となって、冷却されるから、大部分（約９０％以上）の水分子が凝集して液体の水となるが、その段階では、３ｐｐｍ以上の濃度まで揮発性有機化合物ガスが除去されていることから、この揮発性有機化合物ガスが液体の水に溶け込むようなことがなく、この液体の水は無色、無臭で、そのまま排出可能であり、また飲み水検査により、飲用に適合した水であることが確認された。
【００５７】
また、揮発性有機化合物ガスが白金触媒の酸化反応により分解されて生成した二酸化炭素もそのまま排出可能である。
【００５８】
パイプＰ３より、次の除湿器３０に流入する物質は、先の白金触媒の酸化反応により揮発性有機化合物ガスを分解して生成した、水分子と二酸化炭素と窒素酸化物の３成分を含むガスと、水分子が冷却により凝集した液体の水である。
【００５９】
除湿器３０は、図４（Ａ）に示すように、主たる構成として、パイプＰ３より流入した水分子と二酸化炭素と窒素酸化物の３成分を含むガスおよび液体の水を常温までに冷却する冷却部３１０を有するとともに、上記３成分のガスのうち、水分子ガスの大部分（約９０％以上）を冷却して得られた液体の水と、先に流入した液体の水とを溜めるための水溜め３２１と、この水溜め３２１の水面の上方に、水分子の残余部分（約１０％以下）と二酸化炭素と窒素酸化物の３成分を含むガスを通過させるための空間３２２を設けた水タンク部３２０を有し、また、通過させた水分子ガスを相対湿度５０％以下の低湿度ガスに調整する湿度調整部３３０とを有し、この低湿度ガスがパイプＰ４より排出される。
【００６０】
図４（Ｂ）は、図４（Ａ）に示す冷却部３１０のＹ−Ｙ線箇所の水平パイプＰ01〜Ｐ11およびファン３１３を切断した断面とその周辺のアルミニウム製薄板３１２を示す図である。
【００６１】
冷却部３１０は、放熱性の銅製パイプ３１１（内径：４．７６φｍｍ、全長３ｍ）を、水平方向に配列される１１本の水平パイプＰ01〜Ｐ11と、水平パイプＰ01〜Ｐ11のうち隣接する両端を連結する１０本のＵターンパイプＰu01〜Ｐu10とに加工し、アルミニウム製薄板３１２（横：５０ｍｍ、高さ：２００ｍｍ、厚さ：０．１ｍｍ）を千鳥状に１１箇所穴あけ加工したものを４０枚用意して、この薄板３１２を約５ｍｍ間隔で平行に林立させた状態で、上記した１１本の水平パイプＰ01〜Ｐ11を上記した１１箇所の千鳥状に位置する穴に貫通させた状態で、４０枚のアルミニウム製薄板３１２と１１本の水平パイプＰ01〜Ｐ11とを溶接して、構成されている。なお、図４（Ａ）に示したアルミニウム製薄板３１２の数は、２７枚しか描かれていないが、実際には、上記したとおり４０枚である。
【００６２】
このような銅製パイプ３１１の構成をガスの流れに沿って説明すると、図４（Ａ）の図面において、水平に配列した1本目の水平パイプＰ01と、この水平パイプＰ01の右側端部に1本目のＵターンパイプＰu01の一端を接続し、その他端を紙面上奥行側に向かって下降させて、２本目の水平パイプＰ02の右側端部に接続し、この水平パイプＰ0２の左側端部に2本目のＵターンパイプＰU02の一端を接続し、その他端を図面上紙面側に向かって下降させて、３本目の水平パイプＰ03の右側端部に接続し、以下同様、３本目以降のＵターンパイプＰu03〜Ｐu10と4本目以降の水平パイプＰ04〜Ｐ11とを交互に接続する。
【００６３】
なお、図４（Ｂ）の図面において、ガスの流れの向きは、水平パイプＰ01、Ｐ03、Ｐ05、Ｐ07、Ｐ09およびＰ11を示す円内の×印が手前から奥行に向かい、水平パイプＰ02、Ｐ04、Ｐ06、Ｐ08およびＰ10を示す円内の・印が奥行から手前に向かうことを示す。
【００６４】
その結果、冷却部３１０のガス流路は、水平面から上方に進行することなく、水平面内と下降方向に向けて進行する。
【００６５】
図４（Ｂ）に示すアルミニウム製薄板３１２の左側面に設置されたファン３１３を作動して、アルミニウム製薄板３１２に風を吹き付けることにより、冷却部３１０全体が冷却され、その冷熱伝導により銅製パイプ３１１の内部も常温に冷却される。
【００６６】
一方、パイプＰ３を通じて、流入した水分子ガス、二酸化炭素および窒素酸化物を含む３成分のガスは、上記した銅パイプ３１１の冷却により常温付近まで冷却され、温度低下による飽和蒸気圧差が生じて、水分子ガスのうち大部分（約９０％以上）は、凝集した液体の水となり、先にパイプＰ３より流入した液体の水と合流して、残余（約１０％以下）の水分子ガス、二酸化炭素および窒素酸化物の3成分のガスと共に、連結パイプＰ12を通して、次の水タンク部３２０に流入する。
【００６７】
合流した液体の水（常温）は、水タンク部３２０の水溜め３２１に収納され、その残余部分（約１０％以下）の水分子ガスは、相対湿度が１００％の高湿度ガスを維持して、二酸化炭素および窒素酸化物のガスと共に、水溜め３２１の水面上方の空間３２２を通過して、連結パイプＰ13を通じて、次の湿度調整部３３０に流入する。なお、水溜め３２１内の液体の水は、図示略されたドレイン等により外部に排出される。
【００６８】
湿度調整部３３０は、密閉容器３３１内に、４本のアルミニウム製円柱棒３３２（直径：１０φｍｍ、高さ：５０ｍｍ）を収納するように、この4本の円柱棒３３２を林立させて保持するアルミニウム製基台３３３の中間部をこの密閉容器３３１の天井壁に埋設し、この基台３３３の円柱棒３３２側の略半分が密閉容器３３１内に収納され、この基台３３３の背面側の略半分が密閉容器３３１の外部にあり、この基台３３３の背面に接するようにペルチェ素子３３４の冷却面を設置し、このペルチェ素子３３４の発熱面に接するようにヒートシンク３３５を設置し、このヒートシンク３３５の周辺にこれを空冷するためのファン３３６を設置してある。
【００６９】
ペルチェ素子３３４に所定の直流電圧（本例：９Ｖ）を印加すると、発熱面が発熱し（本例の最高温度：５０℃）、その熱をヒートシンク３３５が吸収することにより、冷却面が冷却され（本例の最低温度：−１０℃）、この冷却面の温度はペルチェ素子３３４の電流を制御して行われる。
【００７０】
ヒートシンク３３５は、アルミニウム製基板に多数のアルミニウム製片を林立させた構造体であり、この多数のアルミニウム製片が放熱面となり、ファン３３６の風を受けて、強制冷却され、ペルチェ素子３３４の発熱面から熱を吸収する。
【００７１】
このように強制冷却されたヒートシンク３３５と接したペルチェ素子３３４の発熱面から熱を吸収して、それに応じて、ペルチェ素子３３４の冷却面が冷却され、その冷却面と熱伝導性のあるアルミニウム製基台３３３および４本のアルミニウム製円柱棒３３２を冷却する。
【００７２】
そこで、ペルチェ素子３３４に流す電流を制御して、本例の4本のアルミニウム製円柱棒３３２の先端部付近（密閉容器３３１内に入ったパイプＰ13付近）の温度が約１５℃、密閉容器３３１内のアルミニウム製基台３３３付近の温度が２℃となるように調整した結果、ガスを含む空気の流量を２リットル／分としたとき、密閉容器３３１内の平均温度が約１２℃となり、パイプＰ４から排出される水分子ガスの相対湿度は、常温（２５℃）換算で相対湿度４３％まで低湿度化することができた。
【００７３】
このように低湿度化された水分子ガスは、二酸化炭素および窒素酸化物のガスと共に、パイプＰ４を通じて、次の酸性ケミカルフィルタ装置に流入する。
【００７４】
酸性ケミカルフィルタ装置４０は、図５に示すように、ステンレス製の密閉容器（内径：５０φｍｍ、長さ：２５０ｍｍ）内部の導入用パイプＰ４側の導入側空間４１と、排出用パイプＰ５側の排出側空間４４とを設けた中央領域に、導入パイプＰ４側に向けて粒状（粒径：３φｍｍ、長さ：１０ｍｍ）のＮＯ酸化触媒４２（日本ピュアテック(株)製ピュアライトグレード「Ｅ３」）からなる層と、ＮＯ酸化触媒４２からなる層に引き続く、粒状（粒径：３φｍｍ、長さ：１０ｍｍ）のＮＯ2化学吸着材４３（日本ピュアテック（株）製ピュアライトグレード「０２」）からなる層をそれぞれ内壁に接するように設け、それぞれの粒状物の粒径に応じて、粒状物間にガス流路となる隙間を形成している。
【００７５】
低湿度化された水分子ガス、二酸化炭素および窒素酸化物の３成分を含むガスは、パイプＰ４を通じて、導入側空間４１に導入されて、窒素酸化物（ＮＯx）のうち、ＮＯ2はＮＯ酸化触媒４２からなる層のガス流路を素通りするが、ＮＯはＮＯ酸化触媒４２からなる層のガス流路を通過するときに、酸化反応を受けて、ＮＯ2となって通過する。
【００７６】
そして、このＮＯ2は、ＮＯ2化学吸着材４３からなる層のガス流路を通過するときに、このＮＯ2化学吸着材４３の表面に吸着されて、その結果、窒素酸化物（ＮＯx）が除去された、残りの水分子ガスと二酸化炭素が排出用パイプＰ５を通じて排出される。
【００７７】
なお、酸性ケミカルフィルタ装置４０に導入される直前の窒素酸化物中のＮＯ2濃度は最大で３００ｐｐｍを観測したが、酸性ケミカルフィルタ装置４０の排出用パイプＰ５から排出されたガスでは、検出限界の１ｐｐｍ以下であったことから、窒素酸化物が酸性ケミカルフィルタ装置４０に十分に吸着され、除去されたことが判明した。
【００７８】
次に、パイプＰ５を通じて、水分子ガスと二酸化炭素の２成分を含むガスは、漏光型光触媒フィルタ装置５０に流入する。このとき、前述した白金触媒反応器２０の酸化反応により分解除去しきれなかった３ｐｐｍ未満の濃度の微量な揮発性有機化合物ガス（以下、この３ｐｐｍ未満の濃度の揮発性有機化合物ガスを「微量な揮発性有機化合物ガス」という。）も、前述した除湿器３０、酸性ケミカルフィルタ装置４０を通過して、この漏光型光触媒フィルタ装置５０に流入する。
【００７９】
漏光型光触媒フィルタ装置５０は、その長手方向の断面を図６（Ａ）に示し、同装置に使用された光触媒ガラスファイバ束５００を構成する多数の光触媒ガラスファイバのうち、隣接する２本の光触媒ガラスファイバ５０１，５０２の長手方向の一部断面を図６（Ｂ）に示した。
【００８０】
なお、この漏光型光触媒フィルタ装置５０は、水分子ガスと二酸化炭素の２成分を含むガスについてはそのまま通過させ、微量な揮発性有機化合物ガスを光触媒反応により分解除去することから、光触媒反応に関しては、この微量な揮発性有機化合物ガスについて説明する。
【００８１】
光触媒ガラスファイバ束５００は、各ガラスファイバ（５０１a，５０２ａ，・・・）の外側面（５０１ａ1，５０２ａ1，・・・）に石英ガラス球５０３が複数積み重ねられて分布して形成された外表面上に二酸化チタン層５０４を担持して、光触媒ガラスファイバ（５０１，５０２，・・・）を多数（本実施の形態においては、１３，０００本）束ねることによって形成される。
【００８２】
そして、複数の石英ガラス球５０３が母体となって多数形成された空隙部５０５が、図６（Ｂ）に実線矢印で示す、ガスを含む空気の流路となり、この空気はこの空隙部５０５を通過する。なお、図６（Ｂ）では、一断面を示していることから、微量な揮発性有機化合物ガスを含む空気の流路が閉鎖されているように示されているが、他の断面において連通している。
【００８３】
多数束ねられた光触媒ガラスファイバ束（５０１，５０２，・・・）は、図６（Ａ）に示すようにアルミ製反応器ケース５１に挿入収納される。
一方、ブラックライト５２ａ、５２ｂにより放射された紫外光は、図６（Ａ）に示すガラス窓５３ａ、５３ｂを透過して、それぞれ、光触媒ガラスファイバ束５００の入射部５００ａ、５００ｂに入射される。
【００８４】
光触媒ガラスファイバ（５０１、５０２、・・・）の内部へ入射した紫外光は、図６（Ｂ）に白抜き矢印で示すとおり、内部を伝播し、各ガラスファイバ（５０１a、５０２ａ、・・・）と石英ガラス球５０３の外側面（５０１a1、５０２ａ1、・・・）上に形成された二酸化チタン層５０４に漏れ出し、光触媒作用を活性化させる。
【００８５】
微量な揮発性有機化合物ガスを含む空気（実線矢印で示す）は、パイプＰ５を通じて、反応器ケース５１の一方のフランジ部５４aに形成された導入口５４inより導入され、光触媒ガラスファイバ束５００内に形成された空隙部５０５を流通し、その流通する際に、揮発性有機化合物ガスが活性化した二酸化チタン層５０４と接触して、このガスが二酸化チタン層１８に捕獲され、このガスを分解する。
【００８６】
そして、分解後の清浄な空気は、反応器ケース５１の他方のフランジ部５４ｂ形成された空気排出口５４0UTに接続されたパイプＰ６を通じて外部に排出され、この清浄な空気中の揮発性有機化合物ガスの含有量は１ｐｐｂ（１０-3ｐｐｍ）以下であった。
【００８７】
次に、吸引機６０は、図１において、活性炭フォリタ加熱装置１０、白金触媒反応器２０、除湿器３０、酸性ケミカルフィルタ装置４０および漏光型光触媒フィルタ装置５０と、これら装置を連結するパイプＰ１〜Ｐ５を通じて、揮発性有機化合物ガスと水分子を含むガスを流通させるための空気を吸引するものであり、市販の吸引ポンプ（例；（株）榎本マイクロポンプ社製、DM-707ST-20-V）を使用し、ガス流量調整器（例；コフロック（株）製、2410-T-S-K1-1/8）およびガス流量計（例；コフロック（株）製、RK1050-15-S-1/8-Air-3L/min）を取り付けて、ガス量を０．５リットル/分〜２５リットル/分まで調整可能である。
【００８８】
なお、本実施例においては、空気清浄装置から活性炭フィルタを取り外した後、これを活性炭フィルタ加熱装置に収納して加熱したが、例えば、加熱装置と一体化した活性炭フィルタを用いることにより、空気清浄装置から活性炭フィルタを取り外すことなく、再生処理することもできる。
【００８９】
この場合、それぞれ活性炭フィルタを通過する、揮発性有機化合物ガスを含むガスのラインと活性炭フィルタを再生するガスのラインを独立に設けておき、揮発性有機化合物ガスの吸着時においては揮発性有機化合物ガスを含むガスのラインを開放しつつ活性炭フィルタを再生するガスのラインを閉鎖しておき、活性炭フィルタの再生時においては、揮発性有機化合物ガスを含むガスのラインを閉鎖しつつ、活性炭フィルタを再生するガスのラインを開放することにより再生ガスを通過させることができる。
【産業上の利用可能性】
【００９０】
本発明によれば、脱離した揮発性有機化合物ガスと水分子ガスを通気パイプに流通させる際、水分子ガスの一部が冷却されて液体の水となり、この液体の水に揮発性有機化合物ガスの一部が溶け込むことにより発生する「臭気を帯びた水（液体）」を除去するとともに、揮発性有機化合物ガスの酸化反応により生成する窒素酸化物を除去し得る、活性炭フィルタの再生処理装置および活性炭フィルタの再生処理方法を提供することができる。
【図面の簡単な説明】
【００９１】
【図１】本発明の実施例である活性炭フィルタ再生処理装置の全体構成を示すブロック図である。
【図２】本発明の実施例の一構成要素である活性炭フィルタ加熱装置の一部断面を示す図である。
【図３】本発明の実施例の一構成要素である白金色版反応器の一部断面を示す図である。
【図４】本発明の実施例の一構成要素である除湿器を示し、図４（Ａ）は除湿器の冷却部、水タンク部および湿度調整部を示す図であり、図４（Ｂ）は図４（Ａ）に示した冷却部のＹ−Ｙ線断面を示す図である。
【図５】本発明の実施例の一構成要素である酸性ケミカルフィルタ装置の断面を示す図である。
【図６】図６（Ａ）は本発明の実施例の一構成要素である漏光型光触媒フィルタ装置の断面を示し、図６（Ｂ）はこの漏光型光触媒フィルタ装置に使用された光触媒ガラスファイバ束の断面を示す。
【符号の説明】
【００９２】
３        活性炭フィルタ
１０      活性炭フィルタ加熱装置
２０      白金触媒反応器
２３      ヒーター
３０      除湿器
３１０    冷却部
３２０    水タンク部
３２１    水溜め
３２２    水面上方の空間
３３０    湿度調整部
４０      酸性ケミカルフィルタ装置
５０      漏光型光触媒フィルタ装置
６０      吸引機
【図１】
2006181527.tif 000003
【図２】
2006181527.tif 000004
【図３】
2006181527.tif 000005
【図４】
2006181527.tif 000006
【図５】
2006181527.tif 000007
【図６】
2006181527.tif 000008